(57)【要約】  【課題】  衣類に型崩れや皺が生じさせることがなく、携行した衣類が邪魔になったり衣類のポケットの内容物が落下することのない衣類携行用具を提案する。  【解決手段】  肩に掛けて使用される肩掛用ベルト１１と、肩掛用ベルト１１を肩に掛けた状態における肩掛用ベルト１１の肩付近に設けられて、上着等の衣類を肩から背中側に吊り下げる吊下手段１２と、肩掛用ベルトの長手方向の位置ズレを防止するように肩掛用ベルトを固定する固定手段１３とを備える。  【選択図】  図３
0003102334.tif 000002
【実用新案登録請求の範囲】
【請求項１】
肩に掛けて使用される肩掛用ベルトと、前記肩掛用ベルトを肩に掛けた状態における肩掛用ベルトの肩付近に設けられて、上着やコート等の衣類を肩から背中側に吊り下げる吊下手段と、肩掛用ベルトの長手方向の位置ズレを防止するように肩掛用ベルトを固定する固定手段とを備えることを特徴とする衣類携行用具。
【請求項２】
前記肩掛用ベルトは、片方の肩から掛けられ脇腹から腰付近を通るようにして装着される環状のベルトであることを特徴とする請求項１記載の衣類携行用具。
【請求項３】
前記肩掛用ベルトは、長さ調節が可能であることを特徴とする請求項1記載の衣類携行用具。
【請求項４】
前記吊下手段は、位置調節が可能であることを特徴とする請求項１記載の衣類携行用具。
【請求項５】
前記吊下手段は、衣類の襟付近のタグに挿通させて使用される吊下用ベルトであることを特徴とする請求項１記載の衣類携行用具。
【請求項６】
前記吊下手段は、ハンガーを掛けることが可能な環状又はフック状であることを特徴とする請求項1記載の衣類携行用具。
【請求項７】
前記固定手段は、ズボンやスカート等のベルトなどの着用物に片側が固定され他方が前記肩掛用ベルトと連結されて、前記肩掛用ベルトの位置ズレを防止することを特徴とする請求項１記載の衣類携行用具。
【考案の詳細な説明】
【技術分野】
【０００１】
この考案は、衣類を肩に掛けた状態で携行できる衣類携行用具に関する。
【背景技術】
【０００２】
従来、背広の上着やコート等の衣類を脱いで携行する場合は、手に持ったり腕に抱える等することが通常行われている。しかし、衣類を腕に抱える等して携行した場合、手の自由が奪われ、荷物が持ちにくくなる。
【０００３】
このため、特許文献１には、紐部材の環状部に衣類を結束し、肩掛け用の環状部を肩に掛けることにより、肩に掛けたベルトに衣類を結束した状態で携行する肩掛け吊り具が開示されている。
【特許文献１】特開２００１−２９２８２２号公報
【考案の開示】
【考案が解決しようとする課題】
【０００４】
しかしながら、上記特許文献１に開示された肩掛け吊り具は、衣類を結束するものである。すなわち、環状部に衣類を入れて環状部を縮める（縮径）させてから、これを吊り下げるため、衣類に型崩れや皺が生じさせ問題を有する。また、この肩掛け吊り具に衣類を結束した状態で肩掛け用の環状部を肩に掛けると、衣類は脇から腰の間に位置することとなるため、手が衣類にぶつかる等して行動が阻害され、煩わしさが感じられた。また、結束された状態の衣類はポケットが逆さになる場合もあり、ポケットの内容物が落下する恐れがあった。
【０００５】
そこで本考案の目的は、脱衣した衣類を携行するに際して、衣類に型崩れや皺を生じさせることがなく、携行した衣類が邪魔になったり衣類のポケットの内容物が落下したりすることのない衣類携行用具を提案することにある。
【課題を解決するための手段】
【０００６】
本考案に係る請求項１記載の衣類携行用具は、肩に掛けて使用される肩掛用ベルトと、前記肩掛用ベルトを肩に掛けた状態における肩掛用ベルトの肩付近に設けられて、上着やコート等の衣類を肩から背中側に吊り下げる吊下手段と、肩掛用ベルトの長手方向の位置ズレを防止するように肩掛用ベルトを固定する固定手段とを備えることを特徴とする。
【０００７】
この考案によれば、使用者は吊下手段に上着やコート等の衣類を吊下げて肩掛用ベルトを肩に掛けると、衣類が肩付近から吊下げられた状態となる。衣類が肩付近から吊り下げられると衣類の荷重により肩掛用ベルトには長手方向に位置ズレする力が加わるが、固定手段により長手方向の位置ズレが防止されているので、吊り下げられた衣類が肩付近の位置から下がることはない。使用者は、衣類を肩付近から吊下げた状態で携行できるため、両手の自由が確保され、型崩れや皺が生じにくく、手が衣類にぶつかる等の煩わしさもなくなる。衣類携行用具は、脱衣した上着等をすぐに吊り下げ可能なように、上着等の下に予め装着しておくことが好ましい。
【０００８】
本考案に係る請求項２記載の衣類携行用具は、請求項１記載の考案を前堤として、前記肩掛用ベルトは、片方の肩から掛けられ脇腹から腰付近を通るようにして装着される環状のベルトであることを特徴とする。この考案によれば、肩掛用ベルトを脇腹から腰付近を通るようにして肩に掛けるだけで簡単に装着できる。肩掛用ベルトは、左右一方の肩から他方の脇腹を通るようにして斜め掛けしても良いし、左右一方側の肩から同一側の脇腹を通るようにして略垂直に掛けるようにしても良い。
【０００９】
本考案に係る請求項３記載の衣類携行用具は、請求項１記載の考案を前堤として、前記肩掛用ベルトは長さ調節可能であることを特徴とする。この考案によれば、肩掛用ベルトの長さ調節により、適度な長さとすることができる。
【００１０】
本考案に係る請求項４記載の衣類携行用具は、請求項１記載の考案を前提として、前記吊下手段は位置調節が可能であることを特徴とする。たとえば、使用者の身長によって肩掛用ベルトの肩付近に相当する位置が異なったり、肩掛用ベルトの長さ調節を行うと吊下手段の位置が変動したりすることがある。この考案によれば、使用者は吊下手段の位置調節を行うことにより吊下手段を肩付近に位置させることができる。
【００１１】
本考案に係る請求項５記載の衣類携行用具は、請求項１記載の考案を前提として、前記吊下手段は、衣類の襟付近のタグ（ラベル）に挿通させて使用される吊下用ベルトであることを特徴とする。この考案によれば、衣類は、襟付近のタグに挿通させて吊下げられるため、吊り下げ作業の容易化と確実な保持が可能になる。
【００１２】
本考案に係る請求項６記載の衣類携行用具は、請求項１記載の考案を前提として、前記吊下手段は、ハンガーを掛けることが可能な環状又はフック状であることを特徴とする。この考案によれば、吊下手段に掛けられたハンガーに衣類を掛けることにより、衣類がハンガーに掛けられた状態で吊下手段に吊下げられ、皺や型崩れ防止の効果がさらに高まる。
【００１３】
本考案に係る請求項７記載の衣類携行用具は、請求項１記載の考案を前提として、前記固定手段は、ズボンやスカート等のベルトなどの着用物に片側が固定され他方が前記肩掛用ベルトと連結されて、前記肩掛用ベルトの位置ズレを防止することを特徴とする。この考案によれば、前記固定手段は、腰部に装着されるベルトなどの着用物に片側が固定されて使用されることから、固定手段による固定の容易化と確実な保持が可能になる。
【考案の効果】
【００１４】
本考案によれば、脱衣した上着等の衣類を肩付近から吊下げて携行することができるため、荷物を持ったり、携帯電話等を使用する際や、転倒したような場合でも、両手の使用を確保することができる。そして、上着等の衣類は、肩から吊下げられた状態で携行されるため、型崩れや皺が生じることはなく、襟を上にした状態で上着を吊下げることにより、ポケットから内容物が落下する事態も防止することが可能になる。
【考案を実施するための最良の形態】
【００１５】
以下、本考案を実施するための最良の形態を図に基づき説明する。
（第１の実施の形態）
図１は、本実施の形態の衣類携行用具１を示す図であり、図３は、その使用状態を説明する説明図である。衣類携行用具１は、肩掛用ベルト１１と、吊下手段１２と固定手段１３とを備える。
【００１６】
肩掛用ベルト１１は、肩に掛けて使用されるベルトであり、一本の革製のベルトを環状にして使用している。この肩掛用ベルト１１は、両端側が連結金具１ａと固定手段１３とを介して連結され、さらに、一端に取付けられた長さ調節用金具１ｂが肩掛用ベルト１１に挿通されており、長さ調節用金具１ｂをスライドさせることにより長さ調節可能となっている。
【００１７】
肩掛用ベルト１１を肩に掛けた状態における肩掛用ベルト１１の肩付近には、吊下手段１２が設けられている。吊下手段１２は、肩掛用ベルト１１と同様の革製のベルト（吊下用ベルト）であり、ホック１ｃを介して肩掛用ベルト１１に着脱自在に取付けられている。吊下手段１２の一端側にはホック１ｃの凹側部材が二つ、肩掛用ベルト１１の肩付近にはホック１ｃの凸側部材が等間隔で複数（六つ）設けられており、ホック１ｃの凹側部材をいずれの凸型部材に留めるかによって、吊下手段１２の位置調節が可能となっている。ホック１ｃは、六つの凸側部材の間隔と二つの凹側部材の間隔が同一に設けられているため、吊下手段１２は凸側部材と凹側部材の組み合わせを一つずつずらしながら調節できる。吊下手段１２の他端側には、ホック１ｄの凸型部材と凹型部材とが吊下手段１２の長手方向に並列して設けられており、このホック１ｄを留めることにより他端が環状となるようになっている。なお、上記ホックに代えてメンファスナー等の係止手段を使用することも可能である。
【００１８】
肩掛用ベルト１１を肩に掛けた状態における肩掛用ベルト１１の腰付近には固定手段１３が設けられている。固定手段１３は、肩掛用ベルト１１の長手方向の位置ズレを防止するもので、一本の革製ベルト（固定用ベルト）の一端側と他端側にホック１ｅの凸型部材と凹型部材が設けられ、このホック１ｅを留めるることにより環状となるようになっている。固定手段１３である固定用ベルトの一端側は連結金具１ａを介して肩掛用ベルト１ａに取付けられ、他端側は腰部に装着されるベルト（ズボンやスカートのベルトや、ポーチ等を取り付けるベルト）やベルト通し（ベルト止め）等の着用物に挿通させて使用される。固定手段１３は、例えばサスペンダー（ズボン吊り）のように、ズボンやスカートの上部を挟んで固定するものでも良い。
【００１９】
この衣類携行用具１は、図３に示すように、肩から掛けるようにして身体に装着して使用される。本実施の形態では、携行する衣類としてスーツの上着Ｗを例に説明するが、コートやジャンパー類等でも同様な使用が可能である。図２（ａ）（ｂ）は衣類携行用具１を装着する手順を説明する図である。使用者は肩掛用ベルト１１を肩から掛け、腰付近に位置する固定手段１３をズボンのベルトＶに回してホック１ｅを留める（図２（ｂ））。肩掛用ベルト１１が固定手段１３を介してズボンのベルトＶに取付けられた状態となる。肩掛用ベルト１１の長さを調節する場合は、長さ調節金具１ｂをスライドさせて適当な長さとする。つぎに、使用者は、上着Ｗの襟付近のタグＴに吊下手段１２を挿通させてから吊下手段１２のホック１ｄを留め、上着Ｗを吊下手段１２に取付ける。なお、タグＴは長方形状であり、左右端部が上着Ｗに縫着されて吊下手段１２が挿通可能となっている。そして、吊下手段１２に取付けられた上着Ｗを背中側にまわす。吊下手段１２の位置を調節する場合は、ホック１ｃの凸型部材と凹型部材の組み合わせを変えて留めることにより適当な位置とする。
【００２０】
装着が完了した状態を図３に示す。上着Ｗは片方の肩付近から背中側に吊下げられた状態となる。肩掛用ベルト１１には上着Ｗの荷重により長手方向に移動する力が働くが、肩掛用ベルト１１は固定手段１３により長手方向の位置ズレが防止されているため、上着Ｗは下がることなく肩付近に位置して保持される。上着Ｗは、襟を肩の方にして肩から吊下げられた状態となるため、衣類に皺や型崩れを生じさせることはなく、上着Ｗは襟を上にして吊下げられているため、ポケットの内容物が落下するという心配もない。なお、吊下手段１２にハンガー等を掛け、そのハンガー等に上着Ｗを掛けるようにしても良い。また、使用者は両手の自由が確保され、荷物を持ったり携帯電話等を使用する際にも上着Ｗが邪魔になることがなく、転倒時にも両手が使用できる安全性がある。手が上着Ｗにぶつかる等の煩わしさもない。なお、本実施の形態において、肩掛用ベルト１１は斜めに掛けられているが、左右一方側の肩から同一側の脇を通るように略垂直に掛けられても良い。
【００２１】
（第２の実施の形態）
本実施の形態の衣類携行用具２を図４に示す。肩掛用ベルト２１は一本の革製ベルトであり、肩付近にホック１ｃの凸側部材が等間隔で六つ設けられている。吊下手段２２は上記第１の実施の形態と同様である。肩掛用ベルト２１の一端と他端には、肩掛用ベルト２１の長手方向にホック２ａの凸型部材と凹型部材が並列して設けられている。ホック２ａの凸型部材と凹型部材とを留めることにより肩掛用ベルト２１の一端２１ａと他端２１ｂに環状部が形成され、この環状部が固定手段２３としての機能を果たす。さらに、本実施の形態の衣類携行用具２には、肩掛用ベルト２１が肩から滑り落ちるのを防止するための滑り止め手段２４を備える。滑り止め手段２４は一本の革製ベルトである。滑り止め手段２４の一端２４ａは、肩掛用ベルト２１を肩に掛けた状態における肩掛用ベルト２１の胸付近にホック等を介して着脱自在に連結されており、他端２４ｂは背中付近に連結されている。
【００２２】
図５は本実施の形態の使用状態を示す図であり、（ａ）は装着状態における身体前側を示す図、（ｂ）は装着状態における身体後側を示す図（上着Ｗは省略）である。使用者は、肩掛用ベルト２１を一端２１ａが身体の前側、他端２１ｂが身体の後側となるように肩に掛け、身体前側において肩掛用ベルト２１の一端２１ａをズボンのベルトＶに回してホック２ａを留め、身体後側において他端２１ｂをベルトＶに回してホック２ａを留める。ホック２ａを留めることにより、肩掛用ベルト２１の一端２１ａと他端２１ｂが固定手段２３として機能する。その後、滑り止め手段２４の一端２４ａを、脇を介して胸付近にもっていき、肩掛用ベルト２１の胸付近に設けられたホック等に連結する。上記第１の実施の形態と同様に吊下手段２１に上着Ｗを取付ける。滑り止め手段２４の一端２４ａは胸付近で連結され、他端２４ｂは肩掛用ベルト２１の背中付近に取付けられているため、肩から肩掛用ベルト２１が滑り落ちて上着Ｗが落下する事態が防止される。
【００２３】
（第３の実施の形態）
本実施の形態の衣類携行用具３を図６に示す。肩掛用ベルト３１は環状の革製ベルトであり、肩掛用ベルト３１は、右肩掛用ベルト３１Ｒと左肩掛用ベルト３１Ｌから成る。環状の各肩掛用ベルト３１Ｒ，３１Ｌは、腕を挿入して肩に装着したときに肩から脇の周りにほぼフィットする大きさとなっている。右肩掛用ベルト３１の肩付近には、ホック１ｃの凸側部材１ｃが等間隔で設けられている。吊下手段３２は、上記第１の実施の形態と同様である。固定手段３３は、前側固定ベルト３３ａと後側固定ベルト３３ｂとから成る。後側固定ベルト３３ｂは、各肩掛用ベルト３１Ｒ，３１Ｌを肩に装着した状態における身体後側（背中側）において両端が各肩掛用ベルト３１Ｒ，３１Ｌに取付けられている。前側固定ベルト３３ａは、身体前側（胸側）において両端が各肩掛用ベルト３１Ｒ，３１Ｌに取付けられているとともに、中央付近で分離され、ホック等を介して開閉自在となっている。
【００２４】
図７は、本実施の形態の衣類携行用具３の使用状態を示す図であり、（ａ）は装着状態における身体前側を示す図、（ｂ）は装着状態における身体後側を示す図（上着Ｗは省略）である。使用者は、前側固定ベルト３３ａの中央のホック等を解除して開状態とし、左右の肩掛用ベルト３１Ｒ，３１Ｌにそれぞれ腕を通して肩に装着し、前側固定ベルト３３ａの中央のホック等を留める。その後、上記第１の実施の形態と同様に吊下手段３２に上着Ｗを取付ける。肩掛用ベルト３１Ｒ，３１Ｌは、前側固定ベルト３３ａと後側固定ベルト３３ｂとにより胸側及び背中側から固定され、上着Ｗの荷重によっても長手方向に位置ズレすることがなく、上着Ｗが肩から吊下げられた状態となる。
【００２５】
なお、上記各実施の形態の衣類携行用具１，２，３は、通常はカバン等に収納しておき、上着等を脱衣する際に身体に装着しても良いが、外出時等において予め上着等の下に装着しておくことが好ましい。予め装着しておくことにより、上着等を脱衣すると衣類携行用具１，２，３が装着された状態となっており、すぐに上着等を吊り下げることが可能である。
【００２６】
また、上記各実施の形態の衣類携行用具１，２，３の他の使用例として、吊下手段にハンガーＨを掛け、そのハンガーＨに衣類を掛けるようにしても良い。図８に、第１の実施の形態においてハンガーＨを使用した場合を例に説明する。ハンガーＨを掛ける際には、吊下手段１２の他端側のホック１ｄを留めることにより環状とし、この環状部にハンガーＨを掛ける。衣類はハンガーＨに掛けられた状態で吊下げられるので、皺や型崩れが防止される。なお、吊下手段１２は、ハンガーＨを掛けることが可能なものであれば良く、例えばフック状でも良い。ハンガーＨは、衣類が掛けられる形状であればいかなるものでも良いが、衣類の肩に沿った形状のハンガーＨが好ましい。
【図面の簡単な説明】
【００２７】
【図１】本考案の第１の実施の形態の衣類携行用具の斜視図。
【図２】上記実施の形態の衣類携行用具を装着する手順を説明する図。
【図３】上記実施の形態の衣類携行用具の使用状態を説明する説明図。
【図４】本考案の第２の実施の形態の衣類携行用具の斜視図。
【図５】上記実施の形態の使用状態を示す図。
【図６】本考案の第３の実施の形態の衣類携行用具の斜視図。
【図７】上記実施の形態の使用状態を示す図。
【図８】第１の実施の形態においてハンガーを使用した場合を説明する図。
【符号の説明】
【００２８】
１，２，３        衣類携行用具
１１，２１，３１  肩掛用ベルト
２１ａ            肩掛用ベルトの一端
２１ｂ            肩掛用ベルトの他端
３１Ｒ            右肩掛用ベルト
３１Ｌ            左肩掛用ベルト
１２，２２，２３  吊下手段（吊下用ベルト）
１３，２３，３３  固定手段（固定用ベルト）
３３ａ            前側固定ベルト
３３ｂ            後側固定ベルト
２４              滑り止め手段
２４ａ            滑り止め手段の一端
２４ｂ            滑り止め手段の他端
１ａ              連結金具
１ｂ              長さ調節用金具
１ｃ，１ｄ，１ｅ，２ａ  ホック
Ｗ                上着
Ｔ                タグ
Ｖ                ズボンのベルト
Ｈ                ハンガー
【図１】
0003102334.tif 000003
【図２】
0003102334.tif 000004
【図３】
0003102334.tif 000005
【図４】
0003102334.tif 000006
【図５】
0003102334.tif 000007
【図６】
0003102334.tif 000008
【図７】
0003102334.tif 000009
【図８】
0003102334.tif 000010